(57)【特許請求の範囲】
【請求項１】
テレビ放送を受信するテレビ受信部と、
前記テレビ受信部で受信したテレビ放送の内容を表示する表示部と、
無線による電話通信を行う電話通信部と、
前記電話通信部を介して、電話または電子メールの着信を検出し、前記電話の発信者情報である電話番号、または前記電子メールの発信者情報である電子メールアドレスを検出する着信検出部と、
前記着信検出部で検出された前記電話番号または前記電子メールアドレスの履歴を記憶する着信履歴記憶部と、
テレビ放送の内容の表示を終了した場合に、前記着信履歴記憶部に記憶された前記発信者情報の履歴を前記表示部に表示するよう制御する着信表示制御部と、
を備えた無線電話装置。
【請求項２】
発信者の名称と電話番号または電子メールアドレスとを対応付けて、あらかじめ電話帳情報として記憶する電話帳部をさらに備え、
前記着信表示制御部は、テレビ放送の内容の表示を終了した場合に、前記電話の発信者情報である電話番号または前記電子メールの発信者情報である電子メールアドレスと、前記電話帳部に記憶された電話帳情報の電話番号または電子メールアドレスとを対比して、前記発信者情報の電話番号または電子メールアドレスと前記電話帳情報の電話番号または電子メールアドレスとが一致した時には前記発信者の名称を、一致しない時には前記発信者情報の電話番号または電子メールアドレスを前記着信履歴記憶部に記憶された前記発信者情報の履歴として前記表示部に表示するよう制御する請求項１記載の無線電話装置。
【請求項３】
前記着信表示制御部は、前記履歴の発信者情報を選択可能に前記表示部に表示をし、前記発信者情報に対して選択を確定した時には前記電話番号への発信処理、または前記電子メールアドレスへの返信処理を行うよう制御する請求項１または２記載の無線電話装置。
【請求項４】
テレビ放送を受信するテレビ受信部と、
前記テレビ受信部で受信したテレビ放送の内容を表示する表示部と、
無線による電話通信を行う電話通信部と、
前記電話通信部を介して、電話または電子メールの着信を検出し、前記電話の発信者情報である電話番号、または前記電子メールの発信者情報である電子メールアドレスを検出する着信検出部と、
前記着信検出部で検出された前記電話番号または前記電子メールアドレスの履歴を記憶する着信履歴記憶部と、
テレビ放送の内容の表示を終了した場合に、前記着信履歴記憶部に記憶された前記発信者情報の履歴を表示する副表示部と、
を備えた無線電話装置。
【請求項５】
発信者の名称と電話番号または電子メールアドレスとを対応付けて、あらかじめ電話帳情報として記憶する電話帳部をさらに備え、
前記着信表示制御部は、テレビ放送の内容の表示を終了した場合に、前記電話の発信者情報である電話番号または前記電子メールの発信者情報である電子メールアドレスと、前記電話帳部に記憶された電話帳情報の電話番号または電子メールアドレスとを対比して、前記発信者情報の電話番号または電子メールアドレスと前記電話帳情報の電話番号または電子メールアドレスとが一致した時には前記発信者の名称を、一致しない時には前記発信者情報の電話番号または電子メールアドレスを前記副表示部に表示するよう制御する請求項４記載の無線電話装置。
【請求項６】
前記テレビ放送の内容は、データ放送によるテキストデータおよび画像データを含む請求項１乃至５のいずれか一項に記載の無線電話装置。
【発明の詳細な説明】
【技術分野】
【０００１】
本発明はテレビ受信部を備える電話装置に関する。
【背景技術】
【０００２】
従来の電話回線に接続可能なデジタルテレビ受信装置では、テレビの視聴中に電話の着信があった場合、図１６（ａ）に示すように発信者の電話番号をテレビ画面に表示したり、図１６（ｂ）に示すように予め発信者の電話番号に対応した発信電話側の名前やニックネームなどの関連情報を入力しておき、発信電話番号を検出した際には、それを自動的に検索してその名前や、番号と名前などを画面の一部に表示する。さらには、図１６（ｃ）に示すように関連情報として予め発信電話番号に対応した発信者の顔やイラストなどを入力しておき、発信電話番号を検出した際には、それを自動的に検索してその名前や番号と共に顔などの画像を画面の一部に子画面として表示する。また、図１６（ｄ）に示すように着信があった時刻と発信電話番号の履歴を記録し、まとめて画面に表示することもできる。さらに図１６（ｅ）はカーソルを表示できるようにして受信装置のリモコンを使ってこのカーソルを動かし、リモコンに発信ボタンなどを設けておき、このボタンを押すことにより、選択した電話番号をダイヤリングするものがある。（例えば、特許文献１）
【０００３】
一方、携帯端末に着信があったことをテレビ受信機にて表示するシステムでは、携帯端末に着信があったことを近距離無線通信機能を使用してテレビ受信機に送信して、テレビ受信機側ではスーパーインポーズ回路を使用してテレビ画面に着信情報を表示したり、メールを表示するものがある。（例えば、特許文献２）
【特許文献１】特開平１０−２４８０５８号公報（第４頁、第５頁、図２、図５）
【特許文献２】特開２００２−３５９６７０号公報（第３頁、図４、図５）
【発明の開示】
【発明が解決しようとする課題】
【０００４】
しかしながら、従来のテレビ受信装置では、テレビ視聴中に電話の着信があった場合、すべての着信について着信の報知がなされ、テレビ視聴の中断や割り込みがなされるという課題があった。また、着信の履歴を表示する場合においても、指示部で使用者からの指示があって始めて着信の履歴が表示されるという欠点があり、一つのテレビ番組の視聴を終えたときに着信の履歴を自動的に確認することができないという点で不利がある。
【０００５】
本発明はこのような課題を解決して、発信者によりテレビ視聴中の着信報知を行う場合と行わない場合とを区別することができ、また、指定されたテレビ番組の視聴の終了後に視聴期間中にあった着信履歴を視聴していたテレビ番組終了後に自動的に表示することができる電話装置を提供することを目的とする。
【課題を解決するための手段】
【０００６】
上記目的を達成するために、本発明は、テレビ放送を受信するテレビ受信部と、電話通信を行う電話通信部と、電話の着信を検出し電話通信部を介して着信時に得られる発信者を特定するための発信者情報を検出する着信検出部と、発信者を特定するための発信者情報をあらかじめ電話帳情報として記憶する電話帳部と、テレビ受信部で受信したテレビ放送の内容を表示する表示部と、テレビ放送の内容を表示部に表示中に着信検出部により着信を検出した場合、着信検出部から得られた発信者情報と電話帳情報とを対比して、発信者情報と電話帳情報とが一致した時には表示部にテレビ放送の内容と発信者情報または電話帳情報とを同時に表示し、一致しない時には発信者情報または電話帳情報を表示しないよう制御する着信表示制御部とを備えることを特徴としている。
【０００７】
この構成により、電話帳にあらかじめ登録している発信者以外からの着信がテレビ視聴中にあった時にテレビ画面に同時に着信が表示されることを防止できるという作用が達成できる。
【０００８】
また、テレビ放送を受信するテレビ受信部と、電話通信を行う電話通信部と、電話の着信を検出し電話通信部を介して着信時に得られる発信者を特定するための発信者情報を検出する着信検出部と、発信者を特定するための発信者情報をあらかじめ電話帳情報として記憶する電話帳部と、テレビ受信部で受信したテレビ放送の内容を表示する表示部と、テレビ放送の内容を表示部に表示中に着信検出部により着信を検出した場合にテレビ放送の内容と発信者情報または電話帳情報とを同時に表示部に表示するか否かを電話帳部の電話帳情報毎に設定する着信表示可否情報と、テレビ放送の内容を表示部に表示中に着信検出部により着信を検出した場合、着信検出部から得られた発信者情報と電話帳情報とを対比し、発信者情報と電話帳情報とが一致し、この電話帳情報に設定された着信表示可否情報が可と設定されている時には表示部にテレビ放送の内容と発信者情報または電話帳情報とを同時に表示し、否と設定されている時には発信者情報または電話帳情報を表示しないよう制御する着信表示制御部とを備えることを特徴としている。
【０００９】
この構成により、電話帳にあらかじめ登録している発信者からの着信であっても、あらかじめ設定された発信者からの着信のみをテレビ画面に同時に表示でき、それ以外の発信者からのテレビ視聴中の着信についてはテレビ画面に同時に着信が表示されることを防止できるという作用が達成できる。
【００１０】
また、テレビ放送を受信するテレビ受信部と、電話通信を行う電話通信部と、電話の着信を検出し電話通信部を介して着信時に得られる発信者を特定するための発信者情報を検出する着信検出部と、発信者を特定するための発信者情報を個々の発信者情報の少なくとも一つを含むグループとしてあらかじめ電話帳情報として記憶する電話帳部と、テレビ受信部で受信したテレビ放送の内容を表示する表示部と、テレビ放送の内容を表示部に表示中に着信検出部により着信を検出した場合にテレビ放送の内容と発信者情報または電話帳情報とを同時に表示部に表示するか否かを電話帳部のグループ毎に設定する着信表示可否情報と、テレビ放送の内容を表示部に表示中に着信検出部により着信を検出した場合、着信検出部から得られた発信者情報と電話帳情報とを対比して、発信者情報と電話帳情報とが一致し、この電話帳情報に属するグループに設定された着信表示可否情報が可と設定されている時には表示部にテレビ放送の内容と発信者情報または電話帳情報とを同時に表示し、否と設定されている時には発信者情報または電話帳情報を表示しないよう制御する着信表示制御部とを備えることを特徴としている。
【００１１】
この構成により、あらかじめ設定された発信者からの着信のみをテレビ画面に表示する設定を行うにあたって、指定すべき発信者をグループ分けし、グループ単位でテレビ画面と同時に着信を表示するか否かを設定することができるという作用が達成できる。
【００１２】
また、テレビ放送を受信するテレビ受信部と、テレビ受信部で受信したテレビ放送の内容を表示する表示部と、少なくともテレビ番組の終了時刻を取得する番組情報取得部と、電話通信を行う電話通信部と、電話の着信を検出し前記電話通信部を介して着信時に得られる発信者を特定するための発信者情報を検出する着信検出部と、発信者を特定するための発信者情報をあらかじめ電話帳情報として記憶する電話帳部と、着信検出部で検出された発信者情報の履歴を記憶する着信履歴記憶部と、現在時刻を取得する時計部と、テレビ番組の終了時刻と時計部から得られる現在時刻とを比較し現在時刻が終了時刻と一致または現在時刻が終了時刻を経過した場合に着信履歴記憶部に記憶された発信者情報の履歴を表示部に表示するよう制御する着信表示制御部とを備えることを特徴としている。
【００１３】
この構成により、視聴目的のテレビ番組が終了した直後に、テレビ視聴中にあった着信の履歴を知ることができるという作用が達成できる。
【００１４】
また、テレビ放送を受信するテレビ受信部と、少なくとも視聴中のテレビ番組の種別を取得する番組情報取得部と、電話通信を行う電話通信部と、電話の着信を検出し電話通信部を介して着信時に得られる発信者を特定するための発信者情報を検出する着信検出部と、発信者を特定するための発信者情報をあらかじめ電話帳情報として記憶する電話帳部と、テレビ受信部で受信したテレビ放送の内容を表示する表示部と、テレビ放送の内容を表示部に表示中に着信検出部により着信を検出した場合にテレビ放送の内容と発信者情報または電話帳情報とを同時に表示部に表示するか否かの着信表示可否情報をテレビ番組の種別毎に設定する番組種別着信可否記憶部と、テレビ放送の内容を表示部に表示中に着信検出部により着信を検出した場合、番組情報取得部から得られたテレビ番組の種別と番組種別着信可否記憶部に記憶されたテレビ番組の種別とが一致するものに設定された着信表示可否情報が可と設定されている時にはテレビ放送の内容と発信者情報または電話帳情報とを同時に表示部に表示し、否と設定されている時には発信者情報または電話帳情報を表示しないよう制御する着信表示制御部とを備えることを特徴としている。
【００１５】
この構成により、テレビ番組の種別、いわゆるカテゴリー別にテレビ視聴中の着信をテレビ画面と同時に表示するか否かを設定することができるという作用が達成できる。
【００１６】
また、テレビ放送を受信するテレビ受信部と、電話通信を行う電話通信部と、電話の着信を検出し電話通信部を介して着信時に得られる発信者を特定するための発信者情報を検出する着信検出部と、発信者を特定するための発信者情報をあらかじめ電話帳情報として記憶する電話帳部と、テレビ受信部で受信したテレビ放送の内容を表示する表示部と、テレビ番組の視聴を予約するための当該視聴予約の対象となるテレビ番組の少なくとも開始時刻と終了時刻とテレビ放送の内容を表示部に表示中に着信検出部により着信を検出した場合にテレビ放送の内容と発信者情報または電話帳情報とを同時に表示部に表示するか否かを視聴予約の対象となるテレビ番組毎に設定する着信表示可否情報とを記憶する視聴予約部と、現在時刻を取得する時計部と、テレビ放送の内容を表示部に表示中に着信検出部により着信を検出した現在時刻が視聴予約された開始時刻と終了時刻の間にある場合、表示部にテレビ放送の内容と発信者情報または電話帳情報とを同時に表示するか否かを視聴予約部の着信表示可否情報を参照して、この着信表示可否情報が可と設定されている時には表示部にテレビ放送の内容と発信者情報または電話帳情報とを同時に表示し、否と設定されている時には発信者情報または電話帳情報を表示しないよう制御する着信表示制御部とを備えることを特徴としている。
【００１７】
この構成により、指定した時刻のテレビ番組の視聴を予約し、設定した時刻に到達した時に自動的にテレビ機能が起動されていないときには起動して予約したチャンネルに合わせ込む視聴予約機能について、予約設定した番組単位でテレビ視聴中の着信を表示するか否かを設定することができるという作用が達成できる。
【発明の効果】
【００１８】
本発明によれば、電話帳にあらかじめ登録している発信者以外からの着信がテレビ視聴中にあった時にテレビ画面に同時に着信が表示されることを防止できるという効果を奏する。
【発明を実施するための最良の形態】
【００１９】
本発明においては、テレビ放送を受信するテレビ受信部と、電話通信を行う電話通信部と、電話の着信を検出し電話通信部を介して着信時に得られる発信者を特定するための発信者情報を検出する着信検出部と、発信者を特定するための発信者情報をあらかじめ電話帳情報として記憶する電話帳部と、テレビ受信部で受信したテレビ放送の内容を表示する表示部と、テレビ放送の内容を表示部に表示中に着信検出部により着信を検出した場合、着信検出部から得られた発信者情報と電話帳情報とを対比して、発信者情報と電話帳情報とが一致した時には表示部にテレビ放送の内容と発信者情報または電話帳情報とを同時に表示し、一致しない時には発信者情報または電話帳情報を表示しないよう制御する着信表示制御部とを備える構成を有する。
【００２０】
これにより、電話帳にあらかじめ登録している発信者以外からの着信がテレビ視聴中にあった時にテレビ画面に同時に着信が表示されることを防止できるという効果を奏する。
【００２１】
また、テレビ放送を受信するテレビ受信部と、電話通信を行う電話通信部と、電話の着信を検出し電話通信部を介して着信時に得られる発信者を特定するための発信者情報を検出する着信検出部と、発信者を特定するための発信者情報をあらかじめ電話帳情報として記憶する電話帳部と、テレビ受信部で受信したテレビ放送の内容を表示する表示部と、テレビ放送の内容を表示部に表示中に着信検出部により着信を検出した場合にテレビ放送の内容と発信者情報または電話帳情報とを同時に表示部に表示するか否かを電話帳部の電話帳情報毎に設定する着信表示可否情報と、テレビ放送の内容を表示部に表示中に着信検出部により着信を検出した場合、着信検出部から得られた発信者情報と電話帳情報とを対比し、発信者情報と電話帳情報とが一致し、この電話帳情報に設定された着信表示可否情報が可と設定されている時には表示部にテレビ放送の内容と発信者情報または電話帳情報とを同時に表示し、否と設定されている時には発信者情報または電話帳情報を表示しないよう制御する着信表示制御部とを備える構成を有する。
【００２２】
これにより、電話帳にあらかじめ登録している発信者からの着信であっても、あらかじめ設定された発信者からの着信のみを表示でき、それ以外の発信者からのテレビ視聴中の着信についてはテレビ画面に同時に着信が表示されることを防止できるという効果を奏する。
【００２３】
また、テレビ放送を受信するテレビ受信部と、電話通信を行う電話通信部と、電話の着信を検出し電話通信部を介して着信時に得られる発信者を特定するための発信者情報を検出する着信検出部と、発信者を特定するための発信者情報を個々の発信者情報の少なくとも一つを含むグループとしてあらかじめ電話帳情報として記憶する電話帳部と、テレビ受信部で受信したテレビ放送の内容を表示する表示部と、テレビ放送の内容を表示部に表示中に着信検出部により着信を検出した場合にテレビ放送の内容と発信者情報または電話帳情報とを同時に表示部に表示するか否かを電話帳部のグループ毎に設定する着信表示可否情報と、テレビ放送の内容を表示部に表示中に着信検出部により着信を検出した場合、着信検出部から得られた発信者情報と電話帳情報とを対比して、発信者情報と電話帳情報とが一致し、この電話帳情報に属するグループに設定された着信表示可否情報が可と設定されている時には表示部にテレビ放送の内容と発信者情報または電話帳情報とを同時に表示し、否と設定されている時には発信者情報または電話帳情報を表示しないよう制御する着信表示制御部とを備える構成を有する。
【００２４】
これにより、あらかじめ設定された発信者からの着信のみをテレビ画面に表示する設定を行うにあたって、指定すべき発信者をグループ分けし、グループ単位でテレビ画面と同時に着信を表示するか否かを設定することができるという効果を奏する。
【００２５】
また、テレビ放送を受信するテレビ受信部と、少なくともテレビ番組の終了時刻を取得する番組情報取得部と、電話通信を行う電話通信部と、電話の着信を検出し前記電話通信部を介して着信時に得られる発信者を特定するための発信者情報を検出する着信検出部と、発信者を特定するための発信者情報をあらかじめ電話帳情報として記憶する電話帳部と、着信検出部で検出された発信者情報の履歴を記憶する着信履歴記憶部と、現在時刻を取得する時計部と、テレビ番組の終了時刻と時計部から得られる現在時刻とを比較し現在時刻が終了時刻と一致または現在時刻が終了時刻を経過した場合に着信履歴記憶部に記憶された発信者情報の履歴を表示部に表示するよう制御する着信表示制御部とを備える構成を有する。
【００２６】
これにより、視聴目的のテレビ番組が終了した直後に、テレビ視聴中にあった着信の履歴を知ることができるという効果を奏する。
【００２７】
また、番組情報取得部は少なくともテレビ番組の開示時刻と終了時刻とを取得し、着信表示制御部はテレビ番組の終了時刻と時計部から得られる現在時刻とを比較し現在時刻が終了時刻と一致または現在時刻が終了時刻を経過した場合に着信履歴記憶部に記憶されたテレビ番組の開始時刻から終了時刻の間の着信検出部で検出された発信者情報の履歴を表示部に表示するよう制御する構成を有する。
【００２８】
これにより、視聴目的のテレビ番組が終了した直後に、テレビ視聴中にあった着信の履歴を知ることができると共にその履歴の内容を一つのテレビ番組の視聴時間中にあったものだけに絞り込むことができるという効果を奏する。
【００２９】
また、着信表示制御部は使用者により選択された一つのテレビ番組の視聴時間があらかじめ定められた時間以上に連続して視聴が継続した場合にテレビ番組の終了時刻と時計部から得られる現在時刻とを比較し現在時刻が終了時刻と一致または現在時刻が終了時刻を経過した時に着信履歴記憶部に記憶されたテレビ番組の開始時刻から終了時刻の間の着信検出部で検出された発信者情報の履歴を前記表示部に表示するよう制御する構成を有する。
【００３０】
これにより、視聴目的のテレビ番組が終了した直後に、着信の履歴を表示する場合に、短時間でテレビのチャンネルを切り替えた場合、いわゆるザッピングを行った場合において、不要な着信履歴の表示が行われることを防止できるという効果を奏する。
【００３１】
また、着信表示制御部は発信者情報の履歴を表示する場合に電話の着信と電子メールの着信とを混在して表示し、使用者の指示により一つの発信者情報を選択可能にし、電話の着信を選択し確定した時には発信者情報に基づく電話の発信処理を行い、電子メールの着信を選択し確定した時には発信者情報に基づく電子メールへの返信処理を行うよう制御する構成を有する。
【００３２】
これにより、着信の履歴が表示された時、電話の着信または電子メールの着信に対して、着信履歴中の所望の発信者に対する、応答動作が容易に行えるという効果を奏する。
【００３３】
また、テレビ放送を受信するテレビ受信部と、少なくとも視聴中のテレビ番組の種別を取得する番組情報取得部と、電話通信を行う電話通信部と、電話の着信を検出し電話通信部を介して着信時に得られる発信者を特定するための発信者情報を検出する着信検出部と、発信者を特定するための発信者情報をあらかじめ電話帳情報として記憶する電話帳部と、テレビ受信部で受信したテレビ放送の内容を表示する表示部と、テレビ放送の内容を表示部に表示中に着信検出部により着信を検出した場合にテレビ放送の内容と発信者情報または電話帳情報とを同時に表示部に表示するか否かの着信表示可否情報をテレビ番組の種別毎に設定する番組種別着信可否記憶部と、テレビ放送の内容を表示部に表示中に着信検出部により着信を検出した場合、番組情報取得部から得られたテレビ番組の種別と番組種別着信可否記憶部に記憶されたテレビ番組の種別とが一致するものに設定された着信表示可否情報が可と設定されている時にはテレビ放送の内容と発信者情報または電話帳情報とを同時に表示部に表示し、否と設定されている時には発信者情報または電話帳情報を表示しないよう制御する着信表示制御部とを備える構成を有する。
【００３４】
これにより、テレビ番組の種別、いわゆるカテゴリー別にテレビ視聴中の着信を表示するか否かを設定することができるという効果を奏する。
【００３５】
また、番組情報取得部は少なくともテレビ番組の番組名を取得し、番組名に基づいてテレビ番組の種別を特定するよう制御する構成を有する。
【００３６】
これにより、テレビ番組の種別、いわゆるカテゴリー情報が取得できない場合においても、テレビ番組名からカテゴリーを特定することができ、テレビ番組の種別、いわゆるカテゴリー別にテレビ視聴中の着信を表示するか否かを設定することができるという効果を奏する。
【００３７】
また、テレビ放送を受信するテレビ受信部と、電話通信を行う電話通信部と、電話の着信を検出し電話通信部を介して着信時に得られる発信者を特定するための発信者情報を検出する着信検出部と、発信者を特定するための発信者情報をあらかじめ電話帳情報として記憶する電話帳部と、テレビ受信部で受信したテレビ放送の内容を表示する表示部と、テレビ番組の視聴を予約するための当該視聴予約の対象となるテレビ番組の少なくとも開始時刻と終了時刻とテレビ放送の内容を表示部に表示中に着信検出部により着信を検出した場合にテレビ放送の内容と発信者情報または電話帳情報とを同時に表示部に表示するか否かを視聴予約の対象となるテレビ番組毎に設定する着信表示可否情報とを記憶する視聴予約部と、現在時刻を取得する時計部と、テレビ放送の内容を表示部に表示中に着信検出部により着信を検出した現在時刻が視聴予約された開始時刻と終了時刻の間にある場合、表示部にテレビ放送の内容と発信者情報または電話帳情報とを同時に表示するか否かを視聴予約部の着信表示可否情報を参照して、この着信表示可否情報が可と設定されている時には表示部にテレビ放送の内容と発信者情報または電話帳情報とを同時に表示し、否と設定されている時には発信者情報または電話帳情報を表示しないよう制御する着信表示制御部とを備える構成を有する。
【００３８】
これにより、指定した時刻のテレビ番組の視聴を予約し、設定した時刻に到達した時に自動的にテレビ機能が起動されていないときには起動して予約したチャンネルに合わせ込む視聴予約機能について、予約設定した番組単位でテレビ視聴中の着信を表示するか否かを設定することができるという効果を奏する。
【００３９】
また、着信表示制御部は表示する発信者情報または電話帳情報が電子メールの着信に基づくものである場合、着信表示可否情報により表示部にテレビ放送の内容と発信者情報または電話帳情報とを同時に表示すると判断された時に当該電子メールの発信者情報または電話帳情報に加えて、当該電子メールの本文の冒頭からあらかじめ定められた文字数分を表示するよう制御する構成を有する。
【００４０】
これにより、テレビ視聴中に電子メールの着信があった場合に、テレビ画面と同時に電子メールの内容を表示するにあたり、テレビ画面への表示の影響をなるべく小さくしながら、電子メールの内容も着信時点で確認することができるという効果を奏する。
【００４１】
また、着信表示制御部は表示する発信者情報または電話帳情報が電子メールの着信に基づくものである場合、発信者情報または電話帳情報の表示中に使用者の指示により表示中の発信者情報または電話帳情報への当該電子メールの返信処理を行うよう制御する電子メール返信指示部を備える構成を有する。
【００４２】
これにより、テレビ視聴中に電子メールの着信が表示された場合に、必要に応じて使用者によって電子メールの返信処理が即座に行えるという効果を奏する。
【００４３】
（実施例１）
以下、本発明の実施例１における電話装置について、図面を参照しながら説明する。
【００４４】
図１（ａ）は実施例１の電話装置における内部の構成図である。電話装置本体１に有線、無線を問わずまたアナログ信号、デジタル信号を問わないテレビ放送を受信するテレビ受信部２と、有線、無線を問わずまたアナログ、デジタルを問わず、また回線接続、回線共有（パケット通信、ＩＰ(Internet Protocol)通信網）を問わない公衆回線３に接続され、電話の通話や電子メールの送受等を行う電話通信部４と、電話や電子メールの着信を検出して電話通信部を介して着信時に得られる発信者を特定するための発信者情報、たとえば、電話番号や電子メールアドレス、ＩＰアドレス、発信者の名前や名称を示す文字コードや文字コード列等を検出する着信検出部５と、着信検出部５によって着信が検出された時にＬＥＤ(Light Emitting Diode)等による光やスピーカー、有線・無線を問わず外部に接続されたイヤホンやヘッドホン等による音響・音声、モーター・圧電振動子による振動によって着信を報知する着信報知部６と、発信者情報をあらかじめ電話帳情報として記憶する電話帳部７と、液晶やＥＬ(Electro Luminescence)などで構成された表示部９にテレビ放送の内容を表示し、その表示中に着信検出部５により着信を検出した場合、着信検出部５から得られた発信者情報と電話帳情報とを対比して、発信者情報と電話帳情報とが一致した時には表示部９にテレビ放送の内容と発信者情報または電話帳情報とを同時に表示し、一致しない時には発信者情報または電話帳情報を表示しないよう制御する着信表示制御部８とを備えている。
【００４５】
図１（ｂ）は電話帳部７の内容を示すメモリブロック図である。電話帳部７には登録すべき人の名前や会社等の名称を登録し、その名前等に対応する電話番号や電子メールアドレス、顔の写真等の画像データやＩＰアドレス等その他の関連する情報を記憶可能としている。
【００４６】
図２には本発明の実施例１における電話装置の動作フローを表したフローチャートを示している。着信検出部５で着信が検出されると（Ｓ１）、着信表示制御部８によってテレビの視聴中であるかどうかが判断され、視聴中でないと判断された場合（Ｓ２のいいえ）、着信報知部６によって光の点灯や点滅、スピーカー、有線・無線を問わず外部に接続されたイヤホンやヘッドホン等による音声や音響、モーター等の振動素子による振動によって着信が報知される（Ｓ３）。視聴中であると判断された場合（Ｓ２のはい）、発信者情報が送られてこない着信、つまり電話の着信である場合には発信者が自局の電話番号等の発信者情報を送信しない設定にしている等の場合（Ｓ４のいいえ）もＳ３と同様の動作をする。発信者情報が送られてくる着信の場合（Ｓ４のはい）には、発信者情報に基づいて電話帳部７に登録されている電話番号や電子メールアドレスやＩＰアドレス等の発信者情報の有無を検索して（Ｓ５）、無ければ（Ｓ６のいいえ）上記、Ｓ３と同じ動作を行う。なお、このときの着信報知に関しては着信報知部６を表示部９とは異なる液晶等の表示手段による副表示部を設けて、これに発信者の電話番号や電子メールアドレスやＩＰアドレス等の発信者情報、電話帳情報である発信者に対応する名前や名称、画像やその他の付加情報を表示することも可能である。また、この副表示部への表示は、前記の（Ｓ２）の判断にかかわらず、いかなる場合でも表示する構成にすることも可能である。
【００４７】
また、着信報知部６を通信手段とし、着信があったことを他機に対して送信をし、そこに発信者の電話番号や電子メールアドレスやＩＰアドレス等の発信者情報、電話帳情報である発信者に対応する名前や名称、画像やその他の付加情報を重畳して送信することも可能である。次に、電話帳部７に登録されている発信者情報であれば（Ｓ６のはい）、視聴中のテレビ画面と同時に発信者情報またはこの発信者情報に対応する電話帳情報に基づく着信の表示を表示部９に対して行う（Ｓ７）。
【００４８】
図３はその表示の形態の一例で、図３（ａ）は表示部９に表示されているテレビ画面１０であり、Ｓ７の着信動作を行った表示状態を図３（ｂ）に示している。この例では電話の着信を着信表示窓１１に発信者の電話番号と電話帳情報として記憶されていた発信者名とを表示している。
【００４９】
なお、本発明でいうテレビ画面とはテレビ受信部２で受信される動画や静止画だけでなく、データ放送のようなテキストデータや画像データの表示も含む。
【００５０】
また、表示部９へのテレビ画面と着信表示窓１１との同時表示の形態としては、重ね合わせのほか、半透過表示（着信表示窓１１と重なるテレビ画面の領域において、テレビ画面の輝度を下げた上で着信表示窓１１を重ねてテレビ画面が透過するように表示）やテレビ画面を縦方向または横方向、または対角線方向に縮小表示して、着信表示窓１１とテレビ画面とが重ならないように表示部９にテレビ画面と同時に表示することも可能である。また、着信表示窓１１の領域を区切ることなく、文字情報やアイコン、画像情報をスーパーインポーズによってテレビ画面上に表示することも可能である。
【００５１】
さらに、表示する文字数が多い場合には表示すべき発信者名や電子メールアドレス、電子メールの題名などの文字を動かす表示、つまりスクロール表示を行うことも可能である。この着信が電子メールの着信である場合には、電子メールのアドレスや電話帳情報として登録されている名前・名称や題名（サブジェクト）のいずれかを組み合わせて表示することも可能である。また、電子メールの本文の冒頭からあらかじめ定めた（使用者による設定も含む）文字数分を表示することも可能である。
【００５２】
また、このように表示された着信表示窓１１について、これを消すタイミングとしてはあらかじめ定めた時間（使用者による設定を含む）表示されたら（Ｓ８のはい）、これを消去して（Ｓ９）元のテレビ画面の表示（図３（ａ）のような）に戻す。なお、一定時間の経過を待つのではなく、着信表示がなされたことを確認するために使用者によるボタンの押下によるなど、使用者の指示があったときに表示を消去する構成も可能である。
【００５３】
なお、前記のＳ３、つまり発信者情報が送られてこない着信の場合の着信報知についてはこれを省略することも可能であり、この場合はテレビ視聴中に電話帳部７に登録されていない発信者からの着信があった場合には着信が報知されない。
【００５４】
以上のように構成した本発明の実施例１における電話装置においては、電話帳部７にあらかじめ登録している発信者以外からの着信がテレビ視聴中にあった時にはテレビ画面に同時に着信が表示されることを防止でき、テレビの視聴に集中できると共に電話帳部７にあらかじめ登録している発信者は既知の発信者であることから、既知の発信者からの着信をテレビ画面と同時に表示できるという効果を奏する。
【００５５】
また、テレビ視聴中に電子メールの着信があった場合に、テレビ画面と同時に電子メールの内容を表示するにあたり、テレビ画面への表示の影響をなるべく小さくしながら、電子メールの内容も着信時点で確認することができるという効果を奏する。
【００５６】
（実施例２）
以下、本発明の実施例２における電話装置について、図面を参照しながら説明する。
【００５７】
図４（ａ）は実施例２の電話装置における内部の構成図である。（なお、実施例１と同様の構成を有する部分については、同一符号を付してその説明を省略する。）
【００５８】
図４の電話装置において、実施例１と相違する点は電話帳部７に各電話帳情報の各人毎に着信表示可否情報１３を加え、この着信表示可否情報１３を設定するための操作部１２を設けた点である。電話帳部７に設定される着信表示可否情報１３は、電話帳部７に登録される各登録者名毎、または電話番号や電子メールアドレスなどの発信者を特定するための発信者情報毎に操作部１２を用いて使用者によって設定されるものである。例えばこの情報に１ビットを割り当て、「１」を設定したときには、当該発信者または当該発信者情報に一致する発信者から、テレビ視聴中に着信があったときには着信を表示することを「可」として、「０」を設定したときには「否」と意味づけることとすることができる。
【００５９】
図５には本発明の実施例２における電話装置の動作フローを表したフローチャートを示している。（なお、実施例２と同様の構成を有する部分については、同一符号を付してその説明を省略する。）
【００６０】
図５の電話装置の動作フローを表したフローチャートにおいて、実施例１と相違する点は電話帳部７に該当する発信者情報があると判断した（Ｓ６のはい）後に、着信表示可否情報１３の内容を確認するステップ（Ｓ１０）を加えた点である。着信表示可否情報１３が「否：０」と設定されていれば（Ｓ１０のいいえ）、実施例１と同様の着信報知の処理（Ｓ３）を行い、「可：１」と設定されていれば（Ｓ１０のはい）、実施例１と同様の着信表示の処理（Ｓ７）を行う。
【００６１】
以上のように構成した本発明の実施例２における電話装置においては、電話帳にあらかじめ登録している発信者からの着信であっても、あらかじめ設定された発信者からの着信のみを表示でき、それ以外の発信者からのテレビ視聴中の着信についてはテレビ画面と同時に着信が表示されることを防止できるという効果を奏する。
【００６２】
（実施例３）
以下、本発明の実施例３における電話装置について、図面を参照しながら説明する。
【００６３】
図６は実施例３の電話装置における電話帳部７のメモリブロック図である。
【００６４】
図６の電話装置において、実施例２と相違する点は電話帳部７において、発信者を特定するための発信者情報を個々の発信者情報の少なくとも一つを含むグループ１４としてあらかじめ電話帳情報として記憶させ、このグループ単位でテレビ視聴中の着信の可否を設定する着信表示可否情報１３を設定した点である。
【００６５】
本実施例の電話装置の動作フローを表したフローチャートについては実施例２で説明した図５と同様である。異なるのは着信表示可否情報１３の内容を確認するステップ（Ｓ１０）である。グループ１４に設定された着信表示可否情報１３が「否」と設定されていれば（Ｓ１０のいいえ）、実施例１または２と同様の着信報知の処理（Ｓ３）を行い、「可」と設定されていれば（Ｓ１０のはい）、実施例１または２と同様の着信表示の処理（Ｓ７）を行う。
【００６６】
なお、このグループとしてまとめる構成については、電話帳部７の中のすべての電話番号を一つのグループとし、また、すべての電子メールアドレスを別の一つのグループとし、それぞれに着信表示可否情報を付加することも可能である。このような構成にすることによって、テレビ視聴中に電話の着信があったときの着信表示の可否の設定や、電子メールの着信があったときのテレビ視聴中の着信表示の可否の設定を行うことも可能となり、例えば、電子メールの着信があった場合には、視聴中のテレビ画面と同時に発信者情報またはこの発信者情報に対応する電話帳情報に基づく着信の表示を表示部に対して行い、電話の着信があった場合には、着信の表示を行わないよう構成することも可能である。
【００６７】
また、グループによる分類の他、着信すべき発信者の重要度に応じた順位付けを行い、各発信者情報を順位分けして、順位毎にテレビ視聴中に着信があったときの着信表示の可否の設定を行うことも可能となる。
【００６８】
以上のように構成した本発明の実施例３における電話装置においては、あらかじめ設定された発信者のみの着信をテレビ画面に表示する設定を行うにあたって、指定すべき発信者をグループ分けし、グループ単位でテレビ画面に着信をテレビ画面と同時に表示するか否かを設定することができるという効果を奏する。
【００６９】
（実施例４）
以下、本発明の実施例４おける電話装置について、図面を参照しながら説明する。
【００７０】
図７は実施例４の電話装置における内部の構成図である。（なお、実施例１〜３と同様の構成を有する部分については、同一符号を付してその説明を省略する。）
【００７１】
図７の電話装置において、実施例１〜３と相違する点は受信するテレビ番組に関する情報を取得する番組情報取得部１５を設けた点で、番組情報とは例えば番組名や放送チャンネル、番組放送年月日や放送開始時刻、放送終了時刻、番組の種別や番組の概要説明等の情報で、例えばＥＰＧ(Electric Program Guide)情報を含んでいるものであり、これらの番組情報はテレビ受信部２で受信された信号に重畳されたデータから得る情報や、別途インターネットなどの無線、有線を問わない通信手段によって得られる情報や、ＩｒＤＡやＲＦ−ＩＤによって得られる情報や、使用者による入力によるものや、バーコードで表現されたものをカメラ等の撮像手段によって取得し、解読し得られた情報を含む。また、着信検出部５で得られた着信時の発信者情報の履歴を記憶する着信履歴記憶部１６も新たに設けている。ここに記憶される発信者情報には現在時刻を保持している時計部１７から得られる着信時刻も発信者情報と共に記憶される。なお、時計部１７が現在時刻を取得する手段としては、自らが時計として現在時刻を計時する機能のものだけではなく、ＧＰＳ(Global Positioning System)衛星などから取得するものやインターネットなどのネットワークを通じて取得するもの、標準時の放送電波から取得するもの、携帯電話の基地局から取得するものなどから構成することも可能である。
【００７２】
図８には本発明の実施例４における電話装置の動作フローを表したフローチャートを示している。テレビ受信部２を起動してテレビ視聴を開始すると（Ｓ１１）、テレビ放送に重畳されてくる現在視聴中のテレビ番組の終了時刻を番組情報取得部１５で取得する（Ｓ１２）。なお、テレビ番組の終了時刻を取得する手段はこれに限られるものではなく前記の通りさまざまな取得手段がある。次に電話の着信があると（Ｓ１３のはい）、着信履歴記憶部１６に時計部１７で得られる現在時刻と着信検出部５から得られる発信者情報とを記録する（Ｓ１４）。なお、記録する発信者情報、つまり着信履歴についてはテレビ視聴開始前のものも含む構成とすることも可能である。また、このとき着信報知部６による着信の報知を視聴中のテレビ番組の開始時刻から終了時刻まで停止することも可能であるし、停止しない構成とすることも可能である。時計部１７の現在時刻と番組情報取得部１５で得られた視聴中のテレビ番組の終了時刻を比較し、現在時刻と終了時刻とが一致するか、現在時刻が終了時刻を過ぎていることを検出すると（Ｓ１５のはい）、表示部９に着信履歴記憶部１６に記憶されている着信履歴を表示する（Ｓ１６）。
【００７３】
なお、着信履歴を表示すると共にその表示が行われたことをＬＥＤ等による光やスピーカー等による音響、音声やモーター、圧電振動子による振動によって報知することも可能である。
【００７４】
図９はその表示の形態の一例で、図９（ａ）は表示部９に表示されているテレビ画面１０であり、番組情報がテレビ画面に重畳して番組情報表示窓１８に表示されている。Ｓ１６の着信履歴を表示した状態を図９（ｂ）に示している。この例では電話の着信と電子メールの着信を時系列に混在し表示している。なお、この表示に関しては電話の着信と電子メールの着信とを分けて表示をする構成も可能であり、また、テレビ画面を消去して着信履歴を表示したり、テレビ画面を消去せずに重畳して表示をすることも可能である。さらに、半透過表示（着信履歴表示窓１９と重なるテレビ画面の領域において、テレビ画面の輝度を下げた上で着信履歴表示窓１９を重ねてテレビ画面が透過するように表示）やテレビ画面を縦方向または横方向、または対角線方向に縮小表示して、着信履歴表示窓１９とテレビ画面とが重ならないように表示部９に同時に表示することも可能である。また、着信履歴表示窓１９の領域を区切ることなく、文字情報をスーパーインポーズによってテレビ画面上に表示することも可能である。
【００７５】
また、図１０（ａ）に示すように着信履歴の発信者情報を選択可能にして表示をし、着信履歴の一つの電話番号や電子メールアドレスなどの発信者情報に対してボタンの押下などによりカーソルを移動させ、所望の発信者情報、例えば電話の着信である場合には電話番号を選択しボタンの押下などにより選択を確定した時にはこの電話番号に対する発信処理を行い、図１０（ｂ）に示すように、電子メールの着信を選択し確定した時にはこの電子メールアドレスへの返信処理を行うよう着信表示制御部８で制御する構成とすることも可能である。
【００７６】
なお、Ｓ１６で表示される着信履歴については、番組情報取得部１５で番組の開示時刻を取得し、視聴していた番組の開始時刻から終了時刻までに発生した着信履歴に限定することも可能である。
【００７７】
また、Ｓ１１のステップからＳ１２のステップに移る条件として、使用者により選択されたある一つのテレビ番組の視聴時間があらかじめ定められた時間（使用者による設定を行うものも含む）以上に連続して視聴が継続したことを条件とする、つまりあらかじめ定められた時間より短い時間でチャンネルを変更した場合やチャンネルを移行してあらかじめ定められた時間より短い時間しか経っていない場合においては、たとえ番組の終了時刻に到達しても着信履歴を表示しない構成も可能である。
【００７８】
また、番組終了時刻に達した時の着信履歴表示に関して、表示部９への表示ではなく、表示部９以外の液晶やＥＬなどで構成された副表示部を設けて、これに表示をすることも可能である。
【００７９】
以上のように構成した本発明の実施例４における電話装置においては、視聴目的のテレビ番組が終了した直後に、テレビ視聴中にあった着信の履歴を知ることができるという効果を奏する。また、視聴目的のテレビ番組が終了した直後に、テレビ視聴中にあった着信の履歴を知ることができると共にその履歴の内容を一つのテレビ番組の視聴時間中にあったものだけに絞り込むことができるという効果を奏する。また、視聴目的のテレビ番組が終了した直後に、着信の履歴を表示する場合に、短時間でテレビのチャンネルを切り替えた場合、いわゆるザッピングを行った場合において、不要な着信履歴の表示が行われることを防止できるという効果を奏する。また、着信の履歴が表示された時、電話の着信または電子メールの着信に対して、所望の発信相手に対する、応答動作が容易に行えるという効果を奏する。
【００８０】
（実施例５）
以下、本発明の実施例５おける電話装置について、図面を参照しながら説明する。
【００８１】
図１１（ａ）は実施例５の電話装置における内部の構成図である。（なお、実施例１〜４と同様の構成を有する部分については、同一符号を付してその説明を省略する。）
【００８２】
図１１（ａ）の電話装置において、実施例１〜４と相違する点はテレビ番組の種別毎に着信の報知の可否を記憶する番組種別着信可否記憶部２０を設けた点である。
【００８３】
図１１（ｂ）は番組種別着信可否記憶部２０のメモリブロックを示しており、番組情報取得部１５から得られるテレビ番組の種別、いわゆるカテゴリー毎にテレビ視聴中の着信を表示するか否かを設定、記憶するものである。例えばこの情報に１ビットを割り当て、「１」を設定したときには、当該発信者または当該発信者情報に一致する発信者から、テレビ視聴中に着信があったときには着信を表示することを「可」として、「０」を設定したときには「否」と意味づけることとすることができる。
【００８４】
図１２には本発明の実施例５における電話装置の動作フローを表したフローチャートを示している。テレビ受信部２を起動してテレビ視聴を開始すると（Ｓ１９）、テレビ放送に重畳されてくる現在視聴中のテレビ番組の終了時刻を番組情報取得部１５で取得する（Ｓ２０）。また、次に番組情報取得部１５によって視聴中のテレビ番組の番組種別、いわゆるカテゴリー情報を取得する（Ｓ２１）。次に電話の着信を監視し、着信が無い場合は（Ｓ２２のいいえ）次に番組終了時刻か否かを判断し、終了時刻に達していると（Ｓ２３のはい）再度、テレビの視聴開始状態に戻る（Ｓ１９）。一方、電話の着信があった場合（Ｓ２２のはい）番組情報取得部１５で得られた現在視聴中のテレビ番組の番組種別情報と番組種別着信可否記憶部２０に記憶されている番組種別を対比、検索し、一致した番組種別があった場合に、その番組種別に設定された着信表示可否情報を参照し、表示「可」と設定されていた場合には（Ｓ２４のはい）、実施例１で説明したＳ７の着信表示を行う（Ｓ２５）。「否」と設定されていた場合には（Ｓ２４のいいえ）、再度、着信を待つこととなる。
【００８５】
着信表示の消去のタイミングについては実施例１で説明した図３のＳ８、Ｓ９と同様の処理を行う。
【００８６】
なお、視聴中のテレビ番組の番組種別情報については番組情報取得部１５で取得できない場合がある。このときのために、番組名から番組種別を識別するための対比情報を番組情報取得部１５に保持させることも可能である。対比情報の例として、番組種別「映画」に対しては、「シネマ」、「スクリーン」、「ロードショー」を番組名に含むものと定義し、番組種別「スポーツ」に関しては「野球」、「ベースボール」、「サッカー」、「テニス」、「ゴルフ」、「相撲」などを設定し、番組情報取得部１５にて番組種別を取得するＳ２１のステップで番組名を取得して、前記対比情報を用いて番組種別を識別し、Ｓ２２以降のステップを実行する構成も可能である。
【００８７】
以上のように構成した本発明の実施例５における電話装置においては、テレビ番組の種別、いわゆるカテゴリー情報が取得できない場合においても、テレビ番組名からカテゴリーを特定することができ、テレビ番組の種別、いわゆるカテゴリー別にテレビ視聴中の着信を表示するか否かを設定することができるという効果を奏する。また、テレビ番組の種別、いわゆるカテゴリー情報が取得できない場合においても、テレビ番組名からカテゴリーを特定することができ、テレビ番組の種別、いわゆるカテゴリー別にテレビ視聴中の着信を表示するか否かを設定することができるという効果を奏する。
【００８８】
（実施例６）
以下、本発明の実施例６おける電話装置について、図面を参照しながら説明する。
【００８９】
図１３（ａ）は実施例６の電話装置における内部の構成図である。（なお、実施例１〜５と同様の構成を有する部分については、同一符号を付してその説明を省略する。）
【００９０】
図１３（ａ）の電話装置において、実施例１〜５と相違する点は指定した時刻のテレビ番組の視聴を予約し、設定した時刻に到達した時に自動的にテレビ機能が起動されていないときには起動して予約したチャンネルに合わせ込む視聴予約部２１を設けた点である。
【００９１】
図１３（ｂ）は視聴予約部２１のメモリブロック図である。一つの番組の視聴予約の情報である番組の開始時刻、終了時刻、チャンネル番号、その他番組名や番組の概要の情報である付加情報が一対になって一件の視聴予約情報として記憶されており、一件の視聴予約情報に対して、着信表示可否情報２２が設定される。例えばこの情報に１ビットを割り当て、「１」を設定したときには、当該視聴予約された番組の視聴中に着信があったときには着信を表示することを「可」として、「０」を設定したときには「否」と意味づけることとすることができる。
【００９２】
図１４には本発明の実施例６における電話装置の動作フローを表したフローチャートを示している。実施例５で説明した図１２とはＳ２８とＳ２９が異なる。時計部１７で取得した現在時刻と視聴予約部２１に設定された視聴予約された番組の開始時刻になった場合、テレビ受信部２が起動していないときには起動をし、視聴予約された番組のチャンネルに合わせ込みテレビ画面を表示部に表示する（Ｓ２８）。以降は実施例５で説明した図１２の説明と同様であるが、異なるのはＳ２４における着信の可否判断のステップで、視聴予約部２１に設定された当該視聴予約をされた番組の着信表示可否情報２２の設定を参照して、着信表示の可否を判断する（Ｓ２４）点である。また、番組終了時間の到達の有無を判断するステップにおいて番組終了時間に到達したと判断された場合（Ｓ２３のはい）には、視聴終了へと移行する（Ｓ２９）。
【００９３】
なお、テレビ視聴中に電子メールの着信をテレビ画面と同時に表示する場合においては、図１５（ａ）に示すように発信者情報である発信者のメールアドレス等を表示する着信表示窓１１の中に電子メールの返事を出す処理の指示を受け付ける電子メール返信指示部２３を設け、テレビ視聴中に電子メールの着信があり、それが表示された状態において使用者により電子メールへの返信を行う場合は、電子メール返信指示部２３に対してボタンの押下などにより指示を行うことによって、電子メールの返事を入力する窓２４を表示する構成とすることも可能である。また、この処理は実施例１〜３または実施例５に記載したテレビ視聴中の着信表示時（図２、図５のＳ７、図１２、図１４のＳ２５）にも適用可能である。
【００９４】
以上のように構成した本発明の実施例６における電話装置においては、視聴予約機能について、予約設定した番組単位でテレビ視聴中の着信をテレビ画面と同時に表示するか否かを設定することができるという効果を奏する。また、テレビ視聴中に電子メールの着信がテレビ画面と同時に表示された場合に、必要に応じて使用者によって電子メールの返信処理が即座に行えるという効果を奏する。
【００９５】
本発明を詳細にまた特定の実施態様を参照して説明したが、本発明の精神と範囲を逸脱することなく様々な変更や修正を加えることができることは当業者にとって明らかである。
【００９６】
本出願は、2004年10月4日出願の日本特許出願（特願2004−291231）に基づくものであり、その内容はここに参照として取り込まれる。
【産業上の利用可能性】
【００９７】
本発明は、電話帳にあらかじめ登録している発信者以外からの着信がテレビ視聴中にあった時にテレビ画面に同時に着信が表示されることを防止できる電話装置等に有用である。
【図面の簡単な説明】
【００９８】
【図１】（ａ）本発明の実施例１の電話装置の構成図（ｂ）本発明の実施例１の電話帳部の構成図
【図２】本発明の実施例１の電話装置の動作を示すフローチャート
【図３】（ａ）本発明の実施例１の表示部に表示されるテレビ画面の説明図（ｂ）本発明の実施例１の表示部に表示される着信表示の説明図
【図４】（ａ）本発明の実施例２の電話装置の構成図（ｂ）本発明の実施例２の電話帳部の構成図
【図５】本発明の実施例２の電話装置の動作を示すフローチャート
【図６】本発明の実施例３の電話帳部の構成図
【図７】本発明の実施例４の電話装置の構成図
【図８】本発明の実施例４の電話装置の動作を示すフローチャート
【図９】（ａ）本発明の実施例４の表示部に表示される番組情報表示の説明図（ｂ）本発明の実施例４の表示部に表示される着信履歴表示の説明図
【図１０】（ａ）本発明の実施例４の表示部に表示される電子メールの履歴選択の説明図（ｂ）本発明の実施例４の表示部に表示される電話着信の履歴選択の説明図
【図１１】（ａ）本発明の実施例５の電話装置の構成図（ｂ）本発明の実施例５の電話帳部の構成図
【図１２】本発明の実施例５の電話装置の動作を示すフローチャート
【図１３】（ａ）本発明の実施例６の電話装置の構成図（ｂ）本発明の実施例６の電話帳部の構成図
【図１４】本発明の実施例６の電話装置の動作を示すフローチャート
【図１５】（ａ）本発明の実施例６の表示部に表示される着信表示の説明図（ｂ）本発明の実施例６の表示部に表示される電子メール返信画面の説明図
【図１６】（ａ）従来のデジタル放送受信装置の発信者電話番号表示の説明図（ｂ）従来のデジタル放送受信装置の発信者名表示の説明図（ｃ）従来のデジタル放送受信装置の発信者画像表示の説明図（ｄ）従来のデジタル放送受信装置の着信履歴表示の説明図（ｅ）従来のデジタル放送受信装置の着信履歴カーソル表示の説明図
【符号の説明】
【００９９】
２  テレビ受信部
４  電話通信部
５  着信検出部
７  電話帳部
８  着信表示制御部
９  表示部
１３  着信表示可否情報
１５  番組情報取得部
１６  着信履歴記憶部
１７  時計部
２０  番組種別着信可否記憶部
２１  視聴予約部
２２  着信表示可否情報
【図１】
0004435262.tif 000002
【図２】
0004435262.tif 000003
【図３】
0004435262.tif 000004
【図４】
0004435262.tif 000005
【図５】
0004435262.tif 000006
【図６】
0004435262.tif 000007
【図７】
0004435262.tif 000008
【図８】
0004435262.tif 000009
【図９】
0004435262.tif 000010
【図１０】
0004435262.tif 000011
【図１１】
0004435262.tif 000012
【図１２】
0004435262.tif 000013
【図１３】
0004435262.tif 000014
【図１４】
0004435262.tif 000015
【図１５】
0004435262.tif 000016
【図１６】
0004435262.tif 000017